(57)【要約】【課題】撮影時に編集指示情報を得ることができる撮影装置を提供することを目的とする。【解決手段】レリーズスイッチを半押ししている間に動画撮影を行い、この状態でレリーズスイッチを全押しすることによって、動画撮影によって得られる画像データの必要部分の開始位置を表すリードインを表すリードインマークを作成し、レリーズスイッチの全押しから半押しにされたときに、画像データの必要部分の終了位置を表すリードアウトマークを作成し、画像データにリードイン及びリードアウトの情報を付帯させて記録する。【選択図】　　　　図７
2004128684.tif 000002
【特許請求の範囲】
【請求項１】
被写体を撮影して動画像を表す画像データを取得する撮影手段と、
前記撮影手段によって取得される画像データの撮影後の編集の際に必要となる部分の位置を表す編集指示情報を生成する生成手段と、
前記撮影手段による撮影の開始指示を含む少なくとも２状態を指示する指示手段と、
前記指示手段の指示に基づいて、前記撮影手段による撮影を開始するように前記撮影手段を制御すると共に、前記生成手段によって前記編集指示情報を生成するように前記生成手段を制御する制御手段と、
を備えた撮影装置。
【請求項２】
前記生成手段は、前記画像データの撮影後の編集の際に必要となる部分の開始位置を表す編集開始情報、及び前記画像データの撮影後の編集の際に必要となる部分の終了位置を表す編集終了情報を前記編集指示情報として生成することを特徴とする請求項１に記載の撮影装置。
【請求項３】
前記制御手段は、前記指示手段によって第１状態が指示されたときに、前記撮影手段による撮影を開始するように前記撮影手段を制御すると共に、該撮影中に前記指示手段によって第２状態が指示されたときに、前記生成手段によって前記編集開始情報を生成し、続いて第１状態が指示されたときに、前記生成手段によって前記編集終了情報を生成するように前記生成手段を制御することを特徴とする請求項２に記載の撮影装置。
【請求項４】
前記制御手段は、前記指示手段によって第１状態が指示されたときに、前記撮影手段による撮影を開始するように前記撮影手段を制御すると共に、該撮影中に前記指示手段によって第２状態が指示されたときに、前記生成手段によって前記編集開始情報を生成し、続いて前記指示手段によって第２状態が再度指示されたときに、前記生成手段によって前記編集終了情報を生成するように前記生成手段を制御することを特徴とする請求項２に記載の撮影装置。
【請求項５】
前記制御手段は、前記指示手段によって第１状態が指示されたときに、前記撮影手段による撮影を開始するように前記撮影手段を制御すると共に、該撮影中に前記指示手段によって第２状態が指示された後に第１状態が指示されたときに、前記生成手段によって前記編集開始情報を生成し、続いて前記指示手段によって第２状態が指示された後に第１状態が指示されたときに、前記生成手段によって前記編集終了情報を生成するように前記生成手段を制御することを特徴とする請求項２に記載の撮影装置。
【請求項６】
前記撮影手段によって取得される前記画像データ、及び前記生成手段によって生成された前記編集指示情報を記録媒体に記録する記録手段をさらに備えることを特徴とする請求項１乃至請求項５の何れか１項に記載の撮影装置。
【請求項７】
前記記録手段は、前記画像データの付帯情報として前記編集指示情報を記録媒体に記録することを特徴とする請求項６に記載の撮影装置。
【発明の詳細な説明】
【０００１】
【発明の属する技術分野】
本発明は、撮影装置にかかり、特に、動画像の撮影と同時に編集指示情報を生成することが可能な撮影装置に関する。
【０００２】
【従来の技術】
近年、簡便に撮影可能なＣＣＤ撮像素子などを用いた撮像装置として、デジタルカメラが数多く流通している。デジタルカメラは、その撮影時には、ＣＣＤ撮像素子などで光量に応じた電荷（光電変換）を画素毎に読み取って、画像データに変換した後に、撮影画像を画像データとして記録媒体に記録している。
【０００３】
また、この種のデジタルカメラでは、静止画像のみならず動画像を撮影することも可能となってきている。
【０００４】
静止画像の画像データは、写真店やラボなどのサービス店にて、印画紙等にプリントすることによって、銀塩写真と同様の写真画像を得ることができる。
【０００５】
写真店やラボなどのサービス店に写真画像データのプリントを依頼する際に、プリントサイズや枚数などを店頭で指示するのではなく電子データ形式のプリント注文情報として伝達するプリント注文方法が提案されている。例えば、特許文献１では、現像済フィルムを読み取って得られる写真画像の画像データを、プリントサービスに関するプリントサービス情報と共に記録媒体に記録し、その画像データのプリント注文情報において、記録媒体に記録されたプリントサービス情報を画像データと共に注文画像面に表示し、表示されたプリントサービス情報を使用して、画像データに関するプリントサービスを要求するためのプリント注文情報を作成することが提案されている。
【０００６】
一方、動画像の画像データは、記録媒体に保存して、再生装置等で再生して鑑賞することが一般的に行われている。ところが、一般的に動画を撮影する場合には、目的のシーンの以前から撮影を開始するので、不必要なシーンも同時に撮影してしまい、後に鑑賞する場合には、無用な映像を延々と視聴する必要がある。そこで、専用の編集装置を用いて不要な映像部分を切り取る等の編集を行うのが一般的である。
【０００７】
【特許文献１】
特開平１０−２１４２９５号公報（第１頁、第２図）
【０００８】
【発明が解決しようとする課題】
しかしながら、不要な部分を切り取る等の編集作業は専用の編集装置等が必要であると共に、撮影時の記憶に頼った編集を行う必要があり、煩雑な作業となってしまう、という問題がある。
【０００９】
本発明は、上記問題を解決すべく成されたもので、撮影時に編集指示情報を得ることができる撮影装置を提供することを目的とする。
【００１０】
【課題を解決するための手段】
上記目的を達成するために請求項１に記載の発明は、被写体を撮影して動画像を表す画像データを取得する撮影手段と、前記撮影手段によって取得される画像データの撮影後の編集の際に必要となる部分の位置を表す編集指示情報を生成する生成手段と、前記撮影手段による撮影の開始指示を含む少なくとも２状態を指示する指示手段と、前記指示手段の指示に基づいて、前記撮影手段による撮影を開始するように前記撮影手段を制御すると共に、前記生成手段によって前記編集指示情報を生成するように前記生成手段を制御する制御手段と、を備えることを特徴としている。
【００１１】
請求項１に記載の発明によれば、撮影手段では、被写体を撮影して動画像を表す画像データが取得される。
【００１２】
生成手段では、撮影手段によって取得される画像データの撮影後の編集の際に必要となる部分の位置を表す編集指示情報が生成される。すなわち、生成手段では、撮影後に画像データを編集するための編集指示情報を生成することができる。
【００１３】
また、撮影手段による撮影の開始指示は、指示手段によって行われ、当該指示手段は、撮影手段による撮影の開始指示を含む少なくとも２状態を指示する。例えば、指示手段は、カメラのレリーズスイッチ等で用いられる２段階スイッチ（所謂半押し状態と全押し状態を有するスイッチ）を適用することができる。
【００１４】
そして、制御手段では、指示手段の指示に基づいて、撮影手段による撮影を開始するように撮影手段が制御されると共に、生成手段によって編集指示情報を生成するように制御される。すなわち、指示手段の２状態の指示に応じて撮影開始や編集指示情報の作成を行うことができ、撮影と同時に撮影後の編集で必要となる編集指示情報を得ることができる。
【００１５】
なお、生成手段は、請求項２に記載の発明のように、画像データの撮影後に必要となる部分の開始位置を表す編集開始情報、及び画像データの撮影後に必要となる部分の終了位置を表す編集終了情報を、編集指示情報として生成するようにしてもよい。これによって、編集開始情報と編集終了情報で区切られる編集区間を指定することができる。
【００１６】
このとき、制御手段は、請求項３に記載の発明のように、制御手段は、指示手段によって第１状態が指示されたときに、撮影手段による撮影を開始するように撮影手段を制御すると共に、該撮影中に指示手段によって第２状態が指示されたときに、生成手段によって編集開始情報を生成し、続いて第１状態が指示されたときに、生成手段によって編集終了情報を生成するように生成手段を制御するようにしてもよいし、請求項４に記載の発明のように、制御手段は、指示手段によって第１状態が指示されたときに、撮影手段による撮影を開始するように撮影手段を制御すると共に、該撮影中に指示手段によって第２状態が指示されたときに、生成手段によって編集開始情報を生成し、続いて指示手段によって第２状態が再度指示されたときに、生成手段によって編集終了情報を生成するように生成手段を制御するようにしてもよいし、請求項５に記載の発明のように、制御手段は、指示手段によって第１状態が指示されたときに、撮影手段による撮影を開始するように撮影手段を制御すると共に、該撮影中に指示手段によって第２状態が指示された後に第１状態が指示されたときに、生成手段によって編集開始情報を生成し、続いて指示手段によって第２状態が指示された後に第１状態が指示されたときに、生成手段によって編集終了情報を生成するように生成手段を制御するようにしてもよい。
【００１７】
また、請求項１乃至請求項５の何れか１項に記載の発明は、請求項６に記載の発明のように、撮影手段によって取得される画像データ、及び生成手段によって生成された編集指示情報を記録媒体に記録する記録手段をさらに備えるようにしてもよい。例えば、記録手段は、各種記録媒体に画像データ及び編集指示情報を記録することが可能である。また、記録手段は、請求項７に記載の発明のように、画像データの付帯情報として編集指示情報を記録媒体に記録するようにしてもよい。例えば、所謂Ｅｘｉｆファイル形式等のように、画像データの付帯情報として編集指示情報を記録媒体に記録することが可能である。
【００１８】
【発明の実施の形態】
以下、図面を参照して本発明の実施の形態の一例を詳細に説明する。なお、本実施の形態は、動画撮影可能なデジタルスチルカメラ（以下、単にデジタルカメラという）に本発明を適用したものである。
【００１９】
図１（Ａ）、（Ｂ）に示すように、デジタルカメラ１０の本体１２は略箱形とされている。本体１２の正面側略中央にはレンズ１４が取り付けられた鏡筒１５が設けられており、レンズ１４近傍には、ユーザが撮影範囲等を目視で確認するための光学ファインダ１６が設けられている。
【００２０】
本体１２の上面側には、低照度での撮影等の場合に補助光を発するためのストロボ１８が設けられており、該ストロボ１８は、使用しないときには、図１（Ｂ）に示すように、本体１２内に収納されるようになっている。すなわち、使用時には、図１（Ａ）に示すように、本体１２から上方にポップアップするようになっている。
【００２１】
また、ストロボ１８の近傍の位置には、ストロボ発光時に被写体で反射して戻ってきたストロボ光の光量を検出するストロボ受光センサにストロボ光を導くためのストロボ受光窓３８、及び内蔵されたＡＥセンサに光を導くためのＡＥ受光窓４０が備えられている。
【００２２】
本体１２の上面には、正面から見て右側に撮影モード等を切り替えるためのモードダイヤル１７が設けられており、該モードダイヤル１７の中央部には、レリーズスイッチ２２が設けられている。レリーズスイッチ２２は、２段階スイッチとされており、所謂「半押し」と「全押し」の２状態を検出するようになっている。
【００２３】
本体１２の正面から見て右側面には、記録媒体としてのメモリカード（図示省略）を装填可能なスロット２４、内蔵メモリやスロット２４に装填されるメモリカードに記録された画像データを外部へ送出するためのＵＳＢ（Ｕｎｉｖｅｒｓａｌ　Ｓｅｒｉａｌ　Ｂｕｓ）ケーブルが接続されるＵＳＢ端子４２、及び内蔵メモリやメモリカードに記録された画像データを携帯電話を使用した外部送信において、携帯電話との接続時に使用される携帯電話端子４４が設けられている。なお、記録媒体は、例えば、例えば、スマートメディア、ＰＣカード、マイクロドライブ、マルチメディアカード（ＭＭＣ）、磁気ディスク、光ディスク、光磁気ディスク、メモリスティック等の種々の形態が適用可能である。
【００２４】
さらに、携帯電話端子４４の下方には、交流電源から電源を得るためのＡＣアダプタを接続するＡＣアダプタ接続口２８が設けられており、交流電源をデジタルカメラ１０に供給可能なように構成されている。
【００２５】
また、図１（Ｂ）に示すように、本体１２の背面には、透過型液晶（半透過型液晶でもよい）からなるカラーディスプレイ２６が設けられており、カラーディスプレイ２６は、蛍光管やＬＥＤ等によって構成されるバックライトを備えた構成とされている。なお、カラーディスプレイ２６は光学ファインダ１６の機能も有する。
【００２６】
カラーディスプレイ２６の近傍には、カラーディスプレイ２６の表示／非表示を指示する表示ボタン３０、現在のモードを表すモードインジケータとしてのＬＥＤ３２、デジタルカメラ１０の電源の投入／切断を指示するための電源ボタン２０が設けられている。
【００２７】
さらに、本体１２の背面には、デジタルカメラ１０の各種機能を操作するための各種操作ボタン（例えば、ストロボポップアップボタン３４ａ、カラーディスプレイ２６に表示されるメニュー項目等を選択するための８方向キー３４ｂ、キャンセルボタン３４ｃ、モード選択レバー３４ｄ等）を含んだ操作パネル３４が設けられており、操作パネル３４の操作に応じてカラーディスプレイ２６に表示される内容変更等のデジタルカメラ１０の各種機能を操作することが可能とされている。
【００２８】
図２にはデジタルカメラ１０の電気系の構成が示されている。図２に示すように、デジタルカメラ１０は、撮影部３６を備えており、該撮影部３６は、レンズ１４、オートフォーカス機構４７、絞り４８、撮像素子５０、サンプリング部５６、Ａ／Ｄ変換器５８、及び信号処理部６０からなる。
【００２９】
レンズ１４は、詳しくはズームレンズ（焦点距離可変レンズ）からなり、ズーム機構は駆動回路４６によって駆動される。また、オートフォーカス（ＡＦ）機構４７も備え、ＡＦ機構４７も同様に駆動回路４６によって駆動される。なお、ズームレンズに代えて、ＡＦ機構４７のみを備えた焦点距離可変レンズを用いてもよい。
【００３０】
本体１２の内部におけるレンズ１４の焦点位置に相当する位置には、撮影手段としてのエリアＣＣＤセンサ等で構成される撮像素子５０が配置されており、被写体を反射してレンズ１４に入射された光は撮像素子５０の受光面に結像される。撮像素子５０は、受光面上にマトリクス状に配列された多数個の光電変換セルの各々における受光量を表すアナログ信号を画像信号として出力する。撮像素子５０は、駆動回路４６に接続されているタイミング信号発生部によって発生されたタイミング信号に同期したタイミングで駆動されて画像信号を出力する。
【００３１】
レンズ１４と撮像素子５０との間には絞り４８が配置されている。絞りは連続的に変更可能な単一な絞りで構成してもよいし、絞り量が異なる複数の絞りを切り替える構成としてもよい。
【００３２】
タイミング信号発生部５２には、さらにストロボ１８の発光を制御するストロボ制御回路５４も接続されており、ストロボ１８は低照度であることが検出された場合や、ユーザによって発光が指示された場合にタイミング信号発生部５２によって発生されたタイミング信号に同期したタイミングで発光制御される。
【００３３】
撮像素子５０の信号出力端には、サンプリング部５６、Ａ／Ｄ変換器５８、信号処理部６０、メモリ６２、及び圧縮／伸張部６４が順に接続されており、それぞれシステムバス６８に接続され、システムバス６８に接続されたシステム制御部７０によって統括的に制御されるようになっている。なお、システム制御部７０は、日時や時刻等を計数する図示しないタイマ回路を有しており、レリーズスイッチ２２が操作されて撮影指示がなされた場合に、当該撮影指示時の撮影日時や撮影時間等の撮影情報が取得され、撮影画像を表す画像データに当該撮影情報を付与するようになっている。
【００３４】
サンプリング部５６では、撮像素子５０から出力された画像信号をタイミング信号発生部５２によって発生されたタイミング信号に同期したタイミングでサンプリングすると共に、増幅してＡ／Ｄ変換器５８へ出力する。サンプリング部５６は、図示しないＣＤＳ（Ｃｏｒｒｅｌａｔｅｄ　Ｄｏｕｂｌｅ　Ｓａｍｐｌｉｎｇ：相関二重サンプリング：以下ＣＤＳという）部を含んで構成されている。ＣＤＳ部は、例えば、ＣＣＤ型の撮像素子を用いて、基本的にその素子により生じる各種のノイズをタイミング信号発生部からのタイミング信号によりクランプするクランプ回路と、タイミング信号によりアナログ電圧信号をホールドするサンプルホールド回路を有する。ＣＤＳ部は、ノイズ成分を除去してアナログの出力信号として画像信号をＡ／Ｄ変換器５８に送る。サンプリング部５６から出力された画像信号は、Ａ／Ｄ変換器５８によってデジタルの画像データに変換されて信号処理部６０へ入力される。信号処理部６０では、入力された画像データがカラーディスプレイ２６で表示するための表示用画像データに変換される。例えば、Ａ／Ｄ変換器５８より入力される画像データを表示用の小さい画像サイズ（解像度の低い画像データ）の所謂サムネイル画像に変換される。また、この時、システム制御部７０から撮影日時や撮影時間を表す撮影情報が取得され、該撮影情報が表示用画像データのヘッダ部等に付与される。信号処理部６０から出力された画像データは、ＲＡＭ等で構成されたメモリ６２に一時記録される。そして、レリーズスイッチ２２の操作がなされた場合に、圧縮／伸張部６４で圧縮されてからスロット２４に装填されたメモリカード７８に格納されるようになっている。
【００３５】
また、システムバス６８には、カラーディスプレイ２６も接続され、信号処理部６０によって得られる表示用画像データに基づく画像の表示が可能とされている。
【００３６】
さらに、システムバス６８には、レリーズスイッチ２２や操作パネル３４の各種操作ボタン等を含む各種操作スイッチ７４が入出力インタフェース（Ｉ／Ｆ）７６を介して接続されており、各種操作スイッチ７４の操作に応じた制御がなされるようになっている。入出力Ｉ／Ｆ７６には、ＵＳＢ端子４２等の各種接続端子７５も接続され、例えば、コンピュータ等に接続して、撮影することによって得られる画像データをコンピュータへ送信することが可能とされている。
【００３７】
ところで、本実施の形態に係わるデジタルカメラ１０は、動画撮影も可能とされており、動画撮影時の処理は、システムバス６８に接続された動画処理部７２で行われる。
【００３８】
さらに、本実施の形態に係わるデジタルカメラ１０には、動画撮影中に当該動画の編集指示情報を同時に作成することができるようになっており、図２に示すように、システムバス６８に接続された動画編集情報作成部８０によって編集指示情報を作成する。編集指示情報としては、必要な部分の開始位置を表すリードインと必要な部分の終了位置を表すリードアウトのマーキングを作成する。これによって、リードインとリードアウトで規定されるロールの範囲を編集指示情報として指定することができ、撮影後に当該編集指示情報に応じて編集を行うことが可能となる。具体的には、レリーズスイッチ２２を半押しすることによって撮影を開始して、レリーズスイッチ２２の全押しに基づいてリードイン及びリードアウトのマーキングを作成するようになっている。
【００３９】
次に、動画編集情報作成部８０の詳細な構成について図３を参照して説明する。
【００４０】
図３に示すように、動画編集情報作成部８０には、撮影部３６の撮影によって得られる画像データが入力される。なお、撮影部３６には、音声データを得るためのマイク等も含まれる。
【００４１】
また、動画編集情報作成部８０には、この他にシステム制御部６８が接続され、レリーズスイッチ２２の操作情報に応じた信号が入力されるようになっている。
【００４２】
動画編集情報作成部８０は、図３に示すように、マーキングストリーム作成装置８２、映像／音声ストローム作成装置８４、及びストリーム多重化装置８６を含んで構成されている。
【００４３】
映像／音声ストリーム作成装置８４では、撮影部３６より得られる画像データ及び音声データに基づいて、それぞれの撮影時間に対応するように映像ストリーム及び音声ストリームが作成される。すなわち、音声を含む動画像を表す画像データが作成される。例えば、ＭＰＥＧ（Ｍｏｖｉｎｇ　Ｐｉｃｔｕｒｅ　Ｅｘｐｅｒｔｓ　Ｇｒｏｕｐ）２−ＰＳ（Ｐｒｏｇｒａｍ　Ｓｔｒｅａｍ）やＭＰＥＧ２−ＴＳ（Ｔｒａｎｓｐｏｒｔ　Ｓｔｒｅａｍ）等のフォーマットのデータが適用可能である。
【００４４】
マーキングストリーム作成装置８２では、レリーズスイッチ２２の操作状態がシステム制御部７０によって検出され、検出結果が入力されるようになっており、当該レリーズスイッチ２２の操作状態に応じて上述のリードイン、リードアウトのマーキングからなるマーキングストリームが作成される。該マーキングは撮影時間またはフレーム画像の番号で規定することが可能である。
【００４５】
そして、ストリーム多重化装置８６では、マーキングストリーム作成装置８２で作成されたマーキングストリーム、及び映像／音声ストリーム作成装置８４で作成された映像ストリームと音声ストリームが多重化される。すなわち、動画像を表す画像データに音声情報と編集指示情報（マーキング）が付与された画像データが生成される。例えば、ＭＰＥＧ形式等のフォーマットを用いてストリームの多重化が行われる。
【００４６】
このようにストリーム多重化装置８６で生成された多重化ストリームの画像データは、メモリカード又は内蔵メモリ７８に記録されるようなっている。
【００４７】
すなわち、本実施の形態に係わるデジタルカメラ１０では、動画像撮影時に、編集指示情報を同時に得ることができ、当該編集指示情報が付与された画像データを得ることができる。
【００４８】
ここで、多重化ストリームの画像データのファイル形式の一例について説明する。本実施の形態では、動画像の把握を容易とするため、静止画像とほぼ同様に、動画像は映像データに付帯データが付加された動画像ファイルとして扱う。
【００４９】
すなわち、デジタルカメラなどで撮影された静止画像で提供される撮影画像は、撮影画像の把握を容易とするため、撮影画像そのものの画像データ以外に、ファイル名や撮影条件などの属性データを含んだ形式（所謂Ｅｘｉｆ形式）の画像ファイルとして流通される。
【００５０】
このＥｘｉｆ形式の画像ファイルには、個々の撮影画像毎に、画像データ以外に属性データとして、ファイル名、撮影に使用したデジタルカメラの機種、撮影日時、撮影時の撮影条件（デジタルカメラの設定）を表す各種情報（例えばシャッタースピード、絞り値、画質モード（画像データの圧縮率）、感度、露出プログラムのモード、測光方式、ホワイトバランスのモード、フォーカスのモード、シャープネスのモード、焦点距離、露出補正値、ストロボのオンオフ、ストロボ補正値、マクロモードのオンオフ等）等の情報が含まれている。
【００５１】
ところで、動画像は、静止画像が時系列的に連続された静止画像群である。この静止画像群に含まれる１静止画像は、動画像中の１フレームとして扱うことができる。従って、動画像は、フレーム単位（静止画像単位）で時間や位置を特定することが可能である。
【００５２】
そこで、本実施の形態では、その静止画像群である動画像を対象とした付帯データが映像データ（静止画像群）に付加された動画像ファイルとして扱う。この付帯データは、動画像の利用形態を特定したり範囲を指定したりするためのデータである。
【００５３】
詳細には、動画像ファイルは、映像データと付帯データとから構成される。映像データは、時系列的に連続した上述のＥｘｉｆ形式のフォーマットで構成することができる。なお、Ｅｘｉｆ形式による画像ファイルによる属性データは、静止画像データの各々に帰属させてもよいが、所定数毎に帰属させてもよく、内容に変動があったときにそのフレームである静止画像データに帰属させてもよい。
【００５４】
付帯データは、動画像単位で、映像データ以外に、次の表１に示す、ステータス、インデックス、フレームプリント、メール配信、ＧＰＳ情報、日付情報、カメラ機種、及びＰＷ情報の８つの各項目に大分類された内容を含んでいる。
【００５５】
【表１】
2004128684.tif 000003
【００５６】
付帯データの、第１の項目である「ステータス」は、映像データの扱い（フレームの重要性）を表すものであり、適用内容と適用範囲から構成される。適用内容は、代表、主要、保管用、不要の４種類に小分類されており、各々の小分類には、適用範囲としてフレーム番号（フレームＮｏ．）が対応される。
【００５７】
本実施の形態では、編集指示情報が当該「ステータス」として記録される。詳細には、後述するステータス（主要）の項目に編集指示情報が記録される。なお、その他のステータスの項目に編集指示情報を記録するようにしてもよい。
【００５８】
ステータス（代表）の項目は動画像ファイル内の代表的なフレームやフレーム範囲を示すもので、主に動画像ファイルからダイジェスト版を作成するときに参照するために用いられる。ステータス（主要）の項目は動画像ファイル内の主要な（標準的な）フレームやフレーム範囲を示すもので、主に動画像ファイルを標準的に（通常のモードで）再生するときに参照するために用いられる。ステータス（保管用）の項目は動画像ファイルを保管するときのフレームやフレーム範囲を示すもので、主に保管用とすべき動画像ファイルを全て（フルモードで）再生するときに参照するために用いられる。ステータス（不要）の項目は動画像ファイルに含まれる不要なフレームやフレーム範囲を示すもので、主にメディア変換時や動画ファイル送信時に削除されるべきフレームやフレーム範囲を参照するために用いられる。
【００５９】
項目は、コード情報で表される。表１の例では、第１の項目「ステータス」を表す「１」に適用内容の序列の番号０〜３が連続されて構成される。すなわち、ステータス（代表）の項目は「１０」、ステータス（主要）の項目は「１１」、ステータス（保管用）の項目は「１２」、ステータス（不要）の項目は「１３」のコード情報で表される。また、適用範囲は開始フレームと終了フレームとから構成されている（開始フレーム：終了フレーム）。
【００６０】
付帯データの、第２の項目である「インデックス」は、映像データにおける位置を表すものであり、主にインデックス作成時のフレームの位置を表している。適用内容としては、プリントインデックス、モニターインデックスの２種類に小分類されており、その適用範囲としてフレーム番号（フレームＮｏ．）が対応される。プリントインデックスは、動画像ファイルに関するインデックスをプリントするときのフレームやフレーム範囲を示すもので、モニターインデックスは、動画像ファイルをモニターなどに表示するときのフレームやフレーム範囲を示すものである。プリントインデックスは「２０」、モニターインデックスは「２１」のコード情報で表される。
【００６１】
付帯データの、第３の項目である「フレームプリント」は、映像データにおけるプリント指示の位置を表すものであり、映像データからプリントを作成時のフレームの位置を表している。適用内容としては、プリントサイズによって、Ｌサイズプリント、２Ｌサイズプリント、ポストカードプリントの３種類に小分類されており、その適用範囲としてフレーム番号（フレームＮｏ．）及び枚数が対応される。Ｌサイズプリントは「３０」、２Ｌサイズプリントは「３１」、ポストカードプリントは「３２」のコード情報で表される。
【００６２】
付帯データの、第４の項目である「メール配信」は、映像データを電送することを表すものであり、電送形態、宛先及び電送範囲が対応される。適用内容としては、電送形態により小分類され、電送形態には宛先を含んでいる。表１の例では、動画像をメール送信する場合に「４０」のコード情報で表され、静止画像をメール送信する場合に「４１」のコード情報で表される。内容には、アドレス（”△＠□．ｃｏｍ”、”×＠○．ｃｏ．ｊｐ”、”△＠○．ｃｏ．ｊｐ”）を含み、電送範囲としてフレーム番号（フレームＮｏ．）またはフレーム範囲が対応される。
【００６３】
付帯データの、第５の項目である「ＧＰＳ情報」は、撮影時点における位置を表すものである。適用内容としては、ＧＰＳから得られる緯度や経度のデータが用いられ、その位置における撮影範囲としてフレーム番号（フレームＮｏ．）が対応される。ＧＰＳ情報は「５０」のコード情報で表される。
【００６４】
付帯データの、第６の項目である「日付情報」は、撮影時点における日付を表すものである。適用内容として、年月日時曜日などのデータが用いられ、その日時における撮影範囲としてフレーム番号（フレームＮｏ．）が対応される。日付情報は「６０」のコード情報で表される。
【００６５】
付帯データの、第７の項目である「カメラ機種」は、撮影に利用したカメラすなわち映像データを得たカメラの機種を表すものである。適用内容としては、カメラの種別及び型番などで構成され、表１の例では、デジカメとして「７０」、デジタルビデオとして「７１」、カメラ内蔵の携帯端末として「７２」、カメラ内蔵時計として「７３」のコード情報で表される４種類に小分類されており、その適用範囲としてフレーム番号（フレームＮｏ．）が対応される。
【００６６】
付帯データの、第８の項目である「ＰＷ情報」は、映像データに対する暗証番号を表すものであり、主に秘匿性を必要とするフレームの位置を表している。適用内容としては、暗証番号を含み、その適用範囲としてフレーム番号（フレームＮｏ．）が対応される。コード情報は、「８０」が対応される。
【００６７】
なお、上記の８種類の項目以外にも、焦点距離や絞り値などの撮影条件情報、その動画像ファイルのユーザを表す氏名、住所、年齢、性別などの個人情報、クレジットカードの種別や番号などの決済情報を含むことができる。
【００６８】
続いて、本発明の実施の形態に係わるデジタルカメラ１０が適用される動画編集システムの概略構成について説明する。
【００６９】
図４に示すように、動画編集システム９０は、各々同一または異なるユーザが所有する、複数のコンピュータ９２、及び動画像編集サービスを提供するサーバコンピュータ９４が、それぞれモデム、ルータ、ＴＡ（ターミナルアダプタ：Ｔｅｒｍｉｎａｌ　Ａｄａｐｔｅｒ）等の接続装置９６を介して、インターネットやその他の小規模ネットワークとしてのＬＡＮ（Ｌｏｃａｌ　Ａｒｅａ　Ｎｅｔｗｏｒｋ）で代表されるネットワーク（例えば、インターネット）９８に接続されている。複数のコンピュータ９２及びサーバコンピュータ９４は、ネットワーク９８を介して相互通信により情報授受が可能とされている。
【００７０】
複数のコンピュータの各々はクライアント・コンピュータとして機能する。また、クライアント・コンピュータ９２は、ＤＶＲやＤＣＳ等のデジタルカメラ１０に接続して相互通信可能とされており、デジタルカメラ１０で撮影することによって得られる動画像や静止画像を表す画像データをサーバコンピュータ９４へ送信可能なようになっている。
【００７１】
本実施の形態では、ネットワーク９８としてインターネットを適用した場合を説明する。この場合、少なくとも１つのコンピュータはＷＷＷ（Ｗｏｒｌｄ　Ｗｉｄｅ　Ｗｅｂ）サーバとして機能させることができ、また他のマシンはＷＷＷクライアントとして機能させることができる。
【００７２】
詳細には、各コンピュータには、ＷＷＷブラウザがインストールされており、このＷＷＷブラウザを起動することにより、ネットワーク９８を介して動画像編集サービスを提供するサーバコンピュータ９４に任意にアクセス可能となる。このとき、アクセス位置（アクセス先のコンピュータの位置、及びコンピュータ内の情報の位置で構成されるデータ）はＵＲＬ（Ｕｎｉｆｏｒｍ　Ｒｅｓｏｕｒｃｅ　Ｌｏｃａｔｏｒ）で指定される。
【００７３】
これらのコンピュータは、他のコンピュータからアクセス要求があった場合、ＵＲＬで指定された位置にあるデータを、ネットワーク９８を介して、アクセス元のコンピュータへ送信する。この時、データは、一般に、ＨＴＴＰ（Ｈｙｐｅｒ　Ｔｅｘｔ　Ｔｒａｎｓｆｅｒ　Ｐｒｏｔｏｃｏｌ）に従って転送される。
【００７４】
なお、これらのコンピュータの識別には、ＩＰ（Ｉｎｔｅｒｎｅｔ　Ｐｒｏｔｏｃｏｌ）アドレスが用いられる。
【００７５】
すなわち、動画像編集サービスを提供するサーバコンピュータ９４にコンピュータ９２を用いてアクセスすることによって、動画像編集サービスを受けることができる。
【００７６】
次に、各コンピュータ９２及びサーバコンピュータ９４の詳細な構成について図５を参照して説明する。
【００７７】
サーバコンピュータ９４は、図５に示すように、ＣＰＵ１００、ＲＯＭ１０２、ＲＡＭ１０４、及びハードディスク（ＨＤＤ）１０６がバス１０８に接続された一般的なコンピュータで構成されていると共に、バス１０８には、キーボード１１２、ディスプレイ１１０、メディアインターフェース（Ｉ／Ｆ）１１４、及び通信インターフェース（Ｉ／Ｆ）１１６等が接続されている。
【００７８】
サーバコンピュータ９４の通信Ｉ／Ｆ１１６には、上述したインターネット等で代表あれるネットワーク９８が接続されており、ネットワーク９８に接続されたその他のコンピュータ９２と相互通信可能とされている。
【００７９】
サーバコンピュータ９４のメディアＩ／Ｆ１１４には、ＤＶＤ（Ｄｉｇｉｔａｌ　Ｖｅｒｓａｉｌｅ　Ｄｉｓｃ／Ｄｉｇｉｔａｌ　Ｖｉｄｅｏ　Ｄｉｓｃ）−ＲＯＭ等のリムーバブルディスク１４０に対するデータの読み書きを行うことが可能なディスク装置１１８が接続され、編集された画像データや編集される前の画像データをリムーバブルディスク１４０へ記録することが可能とされている。
【００８０】
また、サーバコンピュータ９４のＲＯＭ１０２には、画像データを編集するためのプログラムや編集時に自動的に画像補整（コントラスト調整や色調整など）を行うためのプログラム等が記憶されており、ＣＰＵ１００の制御によって動画像を表す画像データの編集がなされるようになっている。また、サーバコンピュータ９４のＨＤＤ１０６には、編集時に用いる予め定められた額縁画像等を表すテンプレートデータ等が記憶されている。
【００８１】
一方、編集サービスを要求するための各コンピュータ９２は、サーバコンピュータ９４と同様に、ＣＰＵ１２０、ＲＯＭ１２２、ＲＡＭ１２４、及びハードディスク（ＨＤＤ）１２６がバス１２８に接続された一般的なコンピュータで構成されていると共に、該バス１２８には、キーボード１３２、ディスプレイ１３０、メディアインターフェース（Ｉ／Ｆ）１３４、及び通信インターフェース（Ｉ／Ｆ）１３６等が接続されている。
【００８２】
各コンピュータ９２の通信Ｉ／Ｆ１３６にも、インターネット等で代表される上述のネットワーク９８が接続されており、ネットワークに接続されたその他のコンピュータ９２やサーバコンピュータ９４とそれぞれ相互通信可能とされている。
【００８３】
各コンピュータ９２のメディアＩ／Ｆ１３４には、デジタルカメラ１０で撮影することによって得られる動画像を表す画像データが記録されたリムーバブルディスク等を読み取り可能な再生装置１３８やデジタルカメラ１０が接続可能とされ、デジタルカメラ１０から画像データをコンピュータ９２へ入力することが可能となっている。すなわち、デジタルカメラ１０から画像データをコンピュータ９２に入力し、サーバコンピュータ９４へ送信することが可能とされている。
【００８４】
また、各コンピュータ９２のＲＯＭ１２２には、各種プログラム等が記憶され、ＲＡＭ１２４には、編集サービスを受けるための各種プログラムや編集サービスを提供するサーバコンピュータへアクセスするための情報等が記憶されている。
【００８５】
続いて、上述のように構成されたデジタルカメラ１０で動画像撮影を行う際の処理について図６のフローチャートを参照して説明する。
【００８６】
まず、ステップＳ１０では、レリーズスイッチ２２が半押しされたか否か判定される。すなわち、動画撮影の開始が指示されたか否か判定され、該判定が否定された場合には、肯定されるまで待機してステップＳ１２へ移行する。
【００８７】
ステップＳ１２では、所定周期で画像データが取得される。例えば、１／３０ｓｅｃの周期（フレームレート）で撮像素子５０によるサンプリングが行われる。
【００８８】
ステップＳ１４では、映像／音声ストリームが作成され、メモリカード又は内蔵メモリ７８に順次記録される。例えば、ＭＰＥＧ２形式の画像データが作成されて記録される。
【００８９】
次に、ステップＳ１６では、撮影終了か否か判定される。該判定は、レリーズスイッチ２２の操作がなされない状態が検出されたか否か、すなわち、レリーズスイッチ２２の半押し状態が解除されたか否かを判定することによってなされる。
【００９０】
ステップＳ１６の判定が否定された場合には、そのまま動画撮影の処理を終了し、肯定された場合には、ステップＳ１８へ移行する。
【００９１】
ステップＳ１８では、レリーズスイッチ２２が全押しされたか否か判定される。該判定が否定された場合には、ステップＳ１２へ戻って動画撮影が継続され、ステップＳ１８の判定が肯定された場合には、ステップＳ２０へ移行する。
【００９２】
ステップＳ２０では、リードインを表すマーキングが作成されると共に、リードイン中であることを表すマーク等がディスプレイ２６に表示される。
【００９３】
続いて、ステップＳ２２では、マーキングがマーキングストリームとして、映像／音声ストリームと多重化され、メモリカード又は内蔵メモリ７８に記録される。すなわち、マーキングストリーム作成装置８２によって作成されたマーキングストリームと、映像／音声ストリーム作成装置８４によって作成された映像／音声ストリームが、ストリーム多重化装置８６によって多重化されて、メモリカード又は内蔵メモリ７８に多重化された画像データが記録される。これによって、撮影と同時に編集指示情報を付与した画像データを記録することができる。
【００９４】
次に、ステップＳ２４では、レリーズスイッチ２２が全押しから半押しにされたか否か判定される。該判定が肯定された場合には、ステップＳ２６へ移行して、リードアウトを表すマーキングが作成されると共に、リードイン中であることを表すマーク等の表示を終了する。また、ステップＳ２４の判定が否定された場合には、そのままステップＳ３０へ移行する。
【００９５】
続いて、ステップＳ２８では、マーキングがマーキングストリームとして、映像／音声ストリームと多重化され、メモリカード又は内蔵メモリ７８に記録される。すなわち、マーキングストリーム作成装置８２によって作成されたマーキングストリームと、映像／音声ストリーム作成装置７４によって作成された映像／音声ストリームが、ストリーム多重化装置８６によって多重化されて、メモリカード又は内蔵メモリ７８に多重化された画像データが記録される。これによって、撮影と同時に編集指示情報を付与した画像データを記録することができる。
【００９６】
ステップＳ３０では、撮影終了か否か判定される。該判定は、レリーズスイッチ２２の操作がなされない状態が検出されたか否か、すなわち、レリーズスイッチ２２の半押し又は全押し状態が解除されたか否かを判定することによってなされる。
【００９７】
ステップＳ３０の判定が否定された場合には、ステップＳ１２へ戻って上述の処理が繰り返され、ステップＳ３０の判定が肯定された場合には、一連の処理を終了する。
【００９８】
すなわち、上述の処理では、レリーズスイッチ２２が半押し状態とされたときに、動画像の撮影が開始される。そして、図７に示すように、レリーズスイッチ２２が全押し状態にされた場合に、リードインのマーキングが行われ、レリーズスイッチ２２が再び半押し状態とされたときに、リードアウトのマーキングが行われ、リードインとリードアウトで規定されるロール（編集区間）を編集指示情報として、撮影と同時に指定することができる。
【００９９】
なお、デジタルカメラ１０で動画像撮影を行う際の処理は、上記に限るものではなく、図８のフローチャートに示すようにしてもよい。
【０１００】
続いて、図８に示すフローチャートを参照して、デジタルカメラ１０で動画撮影を行う際の処理について説明する。
【０１０１】
まず、ステップＳ５０では、レリーズスイッチ２２が半押しされたか否か判定される。すなわち、動画撮影の開始が指示されたか否か判定され、該判定が否定された場合には、肯定されるまで待機してステップＳ５２へ移行する。
【０１０２】
ステップＳ５２では、所定周期で画像データが取得される。例えば、１／３０ｓｅｃの周期（フレームレート）で撮像素子５０によるサンプリングが行われる。
【０１０３】
ステップＳ５４では、映像／音声ストリーム作成装置８４によって映像／音声ストリームが作成され、メモリカード又は内蔵メモリ７８に記録される。例えば、ＭＰＥＧ２形式の画像データが作成されて記録される。
【０１０４】
次に、ステップＳ５６では、撮影終了か否か判定される。該判定は、レリーズスイッチ２２の操作がなされない状態が検出されたか否か、すなわち、レリーズスイッチ２２の半押し状態が解除されたか否かを判定することによってなされる。
【０１０５】
ステップＳ５６の判定が否定された場合には、そのまま動画撮影の処理を終了し、肯定された場合には、ステップＳ５８へ移行する。
【０１０６】
ステップＳ５８では、レリーズスイッチ２２が全押しされたか否か判定される。該判定が否定された場合には、ステップＳ５２へ戻って動画撮影が継続され、ステップＳ５８の判定が肯定された場合には、ステップＳ６０へ移行する。
【０１０７】
ステップＳ６０では、リードインを表すフラグがあるか否か判定される。該判定は、後段のステップＳ６６でリードインを表すフラグが既に生成されているか否かを判定することによってなされ、該判定が否定された場合には、ステップＳ６２へ移行する。
【０１０８】
ステップＳ６２では、マーキングストリーム作成装置８２によってリードインのマーキング（マーキングストリーム）が作成されると共に、システム制御部７０の制御によりリードイン中であることがディスプレイ２６に表示される。
【０１０９】
ステップＳ６４では、マーキングストリームと映像／音声ストリームがストリーム多重化装置８６によって多重化されて、メモリカード又は内蔵メモリ７８に順次記録される。
【０１１０】
そして、ステップＳ６６では、リードインを表すフラグが生成されて、ステップＳ６８へ移行する。
【０１１１】
一方、ステップＳ６０の判定が肯定、すなわち、既にリードイン中である場合には、ステップＳ７０へ移行して、マーキングストリーム作成装置８２によってリードアウトマーキング（マーキングストリーム）が作成されると共に、システム制御部７０の制御によりリードイン中であることの表示が終了される。
【０１１２】
ステップＳ７２では、マーキングストリームと映像／音声ストリームがストリーム多重化装置８６によって多重化されて、メモリカード又は内蔵メモリ７８に記録される。
【０１１３】
そして、ステップＳ７４では、リードインを表すフラグがクリアされて、ステップＳ６８へ移行する。
【０１１４】
ステップＳ６８では、撮影終了か否か判定される。該判定は、レリーズスイッチ２２の操作がなされない状態が検出されたか否か、すなわち、レリーズスイッチ２２の半押し状態が解除されたか否かを判定することによってなされる。
【０１１５】
ステップＳ６８の判定が否定された場合には、ステップＳ５２へ戻って上述の処理が繰り返され、ステップＳ６８の判定が肯定された場合には、一連の処理を終了する。
【０１１６】
すなわち、上述の処理では、レリーズスイッチ２が半押し状態とされたときに、動画像の撮影が開始される。そして、図９に示すように、レリーズスイッチ２２が全押し状態とされたときに、リードインのマーキングが行われ、再びレリーズスイッチ２２が全押し状態とされたときに、リードアウトのマーキングが行われ、リードインとリードアウトで規定されるロール（編集区間）を編集指示情報として、撮影と同時に指定することができる。
【０１１７】
なお、リードインとリードアウトのマーキング作成タイミングは、図１０に示すように、全押しにされて半押しに戻るときに作成するようにしてもよい。
【０１１８】
続いて、上述のデジタルカメラ１０が適用される動画編集システムにおけるサーバコンピュータ９４で行われるディスク書き込みサービス及び動画編集サービスの処理について図１１のフローチャートを参照して説明する。
【０１１９】
まず、ステップＳ１００では、ディスク書き込みサービスが要求されたか否か判定される。該判定は、サービスを受けるユーザが所有するコンピュータ９２によってサーバコンピュータ９４にアクセスし、ディスク書き込みサービスを要求する指示がなされたか否か、または、サービスを受けるユーザがサービスの提供元にサービスを受けるためのオリジナル画像データが記録された磁気記録媒体等の記録媒体を受け渡し、サーバコンピュータ９４でディスク書き込み指示を行ったか否かを判定することによってなされる。
【０１２０】
ステップＳ１００の判定が肯定された場合には、ステップＳ１０２へ移行して、オリジナル画像データを取得したか否か判定される。該判定は、例えば、ネットワーク９８を介してコンピュータ９２からオリジナル画像データを取得したか否か、または、オリジナル画像データが記録された記録媒体を受け取って、記録媒体からオリジナル画像データを読出したか否かを判定することによってなされる。
【０１２１】
ステップＳ１０２の判定が否定された場合には、肯定されるまで待機してステップＳ１０４へ移行する。
【０１２２】
ステップＳ１０４では、オリジナル画像データをＤＶＤ−ＲＯＭ等のリムーバブルディスク１４０に記録してディスク書き込みサービスを終了する。なお、オリジナル画像データが書き込まれたリムーバブルディスク１４０は、サービス要求元に郵送するようにしてもよいし、サービス提供元で直接受け渡すようにしてもよい。
【０１２３】
一方、ステップＳ１００の判定が否定された場合には、ステップＳ１０６へ移行して、編集サービスが要求されたか否か判定される。該判定は、サービスを受けるユーザの所有するコンピュータ９２によってサーバコンピュータ９４にアクセスし、編集サービスを要求する指示がさなれたか否か、または、オリジナル画像データが記録された記録媒体をサービス提供元に直接渡し、サーバコンピュータ９４で編集サービス指示を行ったか否かを判定することによってなされる。
【０１２４】
ステップＳ１０６の判定が否定された場合には、当該処理を終了し、ステップＳ１０６の判定が肯定された場合には、ステップＳ１０８へ移行する。
【０１２５】
ステップＳ１０８では、オリジナル画像データを取得したか否か判定される。該判定は、上述のように、ネットワーク９８経由でオリジナル画像データを取得したか否か、または、サービス要求元からオリジナル画像データが記録された記録媒体を受け取って、オリジナル画像データを読出したか否かを判定することによってなされる。
【０１２６】
ステップＳ１０８の判定が否定された場合には、肯定されるまで待機してステップＳ１１０へ移行する。
【０１２７】
ステップＳ１１０では、オリジナル画像データから編集指示情報が抽出される。すなわち、本実施の形態に係わるデジタルカメラ１０では、撮影と同時に編集指示情報を生成して、画像データに付与するので、当該編集指示情報が画像データから抽出される。
【０１２８】
ステップＳ１１２では、編集指示情報に基づく画像データの編集が行われる。すなわち、リードイン、リードアウトで規定されるロールの画像データからの切り出し等の編集が行われる。
【０１２９】
そして、ステップＳ１１４では、編集された画像データがリムーバブルディスク１４０へ書き込まれて一連の処理を終了する。なお、編集された画像データが書き込まれたリムーバブルディスク１４０は、サービス要求元に郵送するようにしてもよいし、サービス提供元で直接手渡すようにしてもよい。
【０１３０】
【発明の効果】
以上説明したように本発明によれば、少なくとも２状態を有する指示手段による指示に基づいて、撮影を開始すると共に、撮影後に必要となる部分の位置を表す編集指示情報を生成することによって、当該編集指示情報に基づいて撮影後に画像データを編集できるので、撮影時に撮影後の画像データの編集で必要となる編集指示情報を得ることができる、という効果がある。
【図面の簡単な説明】
【図１】本発明の実施の形態に係わるデジタルカメラの外観を示す斜視図である。
【図２】本は発明の実施の形態に係わるデジタルカメラの電気系の構成を示すブロック図である。
【図３】動画編集情報作成部の詳細な構成を示すブロック図である。
【図４】本発明の実施の形態に係わるデジタルカメラが適用される動画編集システムの概略構成を示す図である。
【図５】本発明の実施の形態に係わるデジタルカメラが適用される動画編集システムにおけるコンピュータ及びサーバコンピュータの詳細な構成を示すブロック図である。
【図６】本発明の実施の形態に係わるデジタルカメラで動画像撮影を行う際の処理の流れを示すフローチャートである。
【図７】レリーズスイッチによるリードインとリードアウトのタイミングの一例を表すタイミングチャートである。
【図８】本発明の実施の形態に係わるデジタルカメラで動画像撮影を行う際の処理の流れのその他の例を示すフローチャートである。
【図９】レリーズスイッチによるリードインとリードアウトのタイミングのその他の例を表すタイミングチャートである。
【図１０】レリーズスイッチによりリードインとリードアウトのタイミングのその他の例における変形例を示すタイミングチャートである。
【図１１】動画編集システムにおけるサーバコンピュータで行われるディスク書き込みサービス及び動画編集サービスの処理の流れを示すフローチャートである。
【符号の説明】
１０　　デジタルカメラ
２２　　レリーズスイッチ
３６　　撮影部
７０　　システム制御部
７８　　メモリカード又は内蔵メモリ
８２　　マーキングストリーム作成装置
８４　　映像／音声ストリーム作成装置
８６　　ストリーム多重化装置
【図１】
2004128684.tif 000004
【図２】
2004128684.tif 000005
【図３】
2004128684.tif 000006
【図４】
2004128684.tif 000007
【図５】
2004128684.tif 000008
【図６】
2004128684.tif 000009
【図７】
2004128684.tif 000010
【図８】
2004128684.tif 000011
【図９】
2004128684.tif 000012
【図１０】
2004128684.tif 000013
【図１１】
2004128684.tif 000014